Podtech/llm-jp-corpus-v4-ja_patent huggingface dataset:
【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
配列番号1〜配列番号10の配列(ここで、R1およびR2は独立してまたは同時にシステインもしくはセリンを表す)の少なくともいずれか1つを含むことを特徴とする、単離された天然または合成のペプチド。
【請求項２】
配列番号1〜配列番号10の配列のいずれか1つに相当することを特徴とする、請求項1に記載のペプチド。
【請求項３】
その配列が、配列番号1〜配列番号10の配列の少なくとも1つと実質的に相同であることを特徴とする、請求項1または2のいずれか1つに記載のペプチド。
【請求項４】
ペプチドの少なくとも1つの遊離のアミンおよび／またはカルボキシ官能基が、保護基
により保護される請求項1〜3のいずれか1つに記載のペプチド。
【請求項５】
分子内に存在するC-末端カルボキシ基および／またはその他のカルボキシ基が、エステルまたはアミドの形であることを特徴とする請求項4に記載のペプチド。
【請求項６】
分子内に存在するN-末端アミン基および／またはその他の遊離のアミン基が、アシル化された形であることを特徴とする請求項4に記載のペプチド。
【請求項７】
請求項1〜6のいずれか1つに記載されるような少なくとも1つのペプチドと、少なくとも1つの適切な賦形剤とを含む組成物。
【請求項８】
請求項1〜6のいずれか1つに記載されるような少なくとも1つのペプチドの、植物の病原性物質に指向された抗菌剤としての使用。
【請求項９】
抗菌剤が、キサントモナス・カンペストリス、シュードモナス・シリンゲまたはエルウィニア・アミロボーラに特異的であることを特徴とする請求項8に記載の使用。
【請求項１０】
配列番号2〜配列番号10の配列(ここで、R1はシステインまたはセリンを表し、R2はシステインを表す)の少なくともいずれか1つを含むかまたはそれに相当する少なくとも1つのペプチドの、特に植物細胞用の細胞毒性剤としての使用。
【請求項１１】
配列番号8〜配列番号10の配列(ここで、R1およびR2は同時にセリンを表す)の少なくともいずれか1つを含むかまたはそれに相当する少なくとも1つのペプチドの、細胞毒性剤、特に植物細胞用の細胞毒性剤としての使用。
【請求項１２】
ペプチドが除草剤として用いられることを特徴とする、請求項10または11のいずれか1つに記載の使用。
【請求項１３】
配列番号8〜配列番号10の配列(ここで、R1はシステインを表し、R2はセリンを表す)の少なくともいずれか1つを含むかまたはそれに相当する少なくとも1つのペプチドの、非細胞毒性抗菌剤、特に植物の病原性物質に指向された非細胞毒性抗菌剤としての使用。
【請求項１４】
アラビドプシス・タリアナのゲノムのデオキシリボ核酸以外の、請求項1〜6のいずれか1つに記載のペプチドの少なくとも1つをコードする少なくとも1つの配列を含むことを特徴とする、単離された天然または合成のポリヌクレオチド。
【請求項１５】
次の配列番号11〜配列番号20の配列(ここで、R3およびR4は独立してまたは同時にシステインコドンもしくはセリンコドンを表す)の少なくとも1つを含むことを特徴とする、請求項14に記載のポリヌクレオチド。
【請求項１６】
配列番号11〜配列番号20の配列(ここで、R3およびR4は、システインコドンまたはセリンコドンを表す)の1つに相当することを特徴とする、請求項14または請求項15に記載のポリヌクレオチド。
【請求項１７】
請求項14〜16のいずれか1つに記載のような少なくとも1つのポリヌクレオチドと、少なくとも1つの適切な賦形剤とを含む組成物。
【請求項１８】
請求項14〜16に記載のポリヌクレオチドのいずれか1つを含むベクター。
【請求項１９】
プラスミドベクターであることを特徴とする請求項18に記載のベクター。
【請求項２０】
請求項14〜16のいずれか1つに記載のポリヌクレオチド、または請求項18もしくは19のいずれか1つに記載のようなベクターの、請求項1〜6のいずれか1つに記載のようなペプチドを製造するための使用。
【請求項２１】
請求項18もしくは19のいずれか1つに記載のようなベクターの少なくとも1つ、および／または請求項14〜16のいずれか1つに記載のようなポリヌクレオチドの少なくとも1つを含むことを特徴とする改変生物系。
【請求項２２】
微生物、内部寄生性植物、酵母または真核細胞により形成されることを特徴とする請求項21に記載の生物系。
【請求項２３】
請求項21または22のいずれか1つに記載のような少なくとも1つの生物系と、少なくとも1つの適切な賦形剤とを含む組成物。
【請求項２４】
請求項21もしくは22のいずれか1つに記載のような少なくとも1つの生物系、または請求項23に記載の組成物の、抗菌剤、特に植物の病原性物質に指向された抗菌剤および／または細胞毒性剤としての使用。
【請求項２５】
請求項14〜16のいずれか1つに記載のような少なくとも1つのポリヌクレオチド、または請求項18もしくは19のいずれか1つに記載のような少なくとも1つのベクターの、改変生物系の製造における使用。
【請求項２６】
その細胞の全部または一部が、請求項14〜16のいずれか1つに記載のような少なくとも1つのポリヌクレオチド、または請求項18もしくは19のいずれか1つに記載のような少なくとも1つのベクターを含むことを特徴とするヒト以外のトランスジェニック生物。
【請求項２７】
植物であることを特徴とする請求項26に記載のトランスジェニック生物。
【請求項２８】
請求項1〜6のいずれか1つに記載のようなペプチドの少なくとも1つに指向されたポリクローナルまたはモノクローナル抗体。
【請求項２９】
請求項1〜6のいずれか1つに記載のようなペプチドの少なくとも1つおよび／または請求項18もしくは19のいずれか1つに記載のようなベクターの1つ、および／または請求項14〜16のいずれか1つに記載のようなポリヌクレオチド、および／または請求項21もしくは22のいずれか1つに記載のような改変生物系の1つおよび／または請求項26〜27のいずれか1つに記載のようなトランスジェニック生物もしくは請求項7、17もしくは23のいずれか1つに記載のような組成物から選択される少なくとも1つの抗菌剤および／または細胞毒性剤と、生物、特に植物とを適切な手段により接触させる、抗菌および／または細胞毒性処理の方法。
【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
スノーボード用ビンディングと共に使用するためのつま先傾斜装置であって、
スノーボード用ビンディングの底部プレートの前方部分に調節可能に取り付けるためのつま先傾斜部であって、該つま先傾斜部の後壁に関連するつま先傾斜部連結構造を含んでいるつま先傾斜部と、
前記つま先傾斜部連結構造に取り外し可能に取り付けるための第１の壁と関連した第１の連結構造と、底部プレートの壁に関連した第２の連結構造とを有する第１のスペーサと、
を含むつま先傾斜装置。
【請求項２】
請求項１に記載のつま先傾斜装置であって、
前記つま先傾斜部が、少なくとも１つの締結具と適合するための少なくとも１つの凹部を更に含んでおり、当該凹部は複数の貫通孔又はスロットのうちの少なくとも１つを収容するようになされており、前記つま先傾斜部を前記底部プレートに調節可能に結合するための少なくとも１つの締結具を更に含んでいる、つま先傾斜装置。
【請求項３】
請求項１又は２に記載のつま先傾斜装置であって、
前記第１のスペーサの前記第２の連結構造に取り外し可能に取り付けるために前方壁と関連付けられた第３の連結構造と、前記底部プレートに取り外し可能に取り付けるための後壁と関連付けられた第４の連結構造とを有している少なくとも第２のスペーサを更に含んでいる、つま先傾斜装置。
【請求項４】
請求項１又は２に記載のつま先傾斜装置であって、
前記スペーサが衝撃吸収材料、緩衝材料又は衝撃吸収特性と緩衝特性とを備えた複合材料によって作られており、前記スペーサの第１の壁が前記つま先傾斜部の後壁と面一に嵌合する形状とされており、前記スペーサの第２の壁が前記底部プレートと面一に嵌合する形状とされている、つま先傾斜装置。
【請求項５】
請求項１又は２に記載のつま先傾斜装置であって、
前記第１の連結構造がフランジであり、前記第２の連結構造が差し込み口であり、前記スペーサの第１及び第２の壁が湾曲している、つま先傾斜装置。
【請求項６】
請求項１又は２に記載のつま先傾斜装置であって、
前記つま先傾斜部が複数の前後位置に調節可能であり且つ起伏面を更に含んでいる、つま先傾斜装置。
【請求項７】
つま先部分を有しており且つスノーボードブーツを底部プレートに解除可能に固定するタイプのスノーボード用ビンディングであって、
スノーボードのつま先部分に支持係合するための上面を有するつま先傾斜部と、
前記つま先傾斜部を前記底部プレートのつま先部分に調節可能に固定するための少なくとも１つの締結具と、
前記つま先傾斜部に解除可能に連結するための少なくとも１つの第１の構造と、前記底部プレートと解除可能に連結するための少なくとも１つの第２の構造とを有する少なくとも１つのスペーサであって、該スペーサは、ライダーによってスノーボードブーツのソールのサイズに適合するように選択され且つ前記底部プレートのつま先傾斜部と前記底部プレートの壁との間に位置決めされた第１の少なくとも１つのスペーサと、を含むスノーボード用ビンディング。
【請求項８】
請求項７に記載のスノーボード用ビンディングであって、
前記第１のスペーサの前記第２の連結構造に取り外し可能に取り付けるために前方壁と関連付けられた第３の連結構造と、前記底部プレートに取り外し可能に取り付けるための後壁と関連付けられた第４の連結構造とを有している少なくとも第２のスペーサを更に含んでいる、スノーボード用ビンディング。
【請求項９】
請求項７に記載のスノーボード用ビンディングであって、
前記スペーサが衝撃吸収材料、緩衝材料又は衝撃吸収特性と緩衝特性とを備えた複合材料によって作られており、前記スペーサの第１の壁が前記つま先傾斜部の後壁と面一に嵌合する形状とされており、前記スペーサの第２の壁が前記底部プレートと面一に嵌合する形状とされている、スノーボード用ビンディング。
【請求項１０】
請求項７に記載のスノーボード用ビンディングであって、
前記第１の連結構造がフランジであり、前記第２の連結構造が差し込み口であり、前記スペーサの第１及び第２の壁が湾曲している、スノーボード用ビンディング。
【請求項１１】
請求項７に記載のスノーボード用ビンディングであって、
前記つま先傾斜部が複数の前後位置に調節可能であり且つ起伏面を更に含んでいる、スノーボード用ビンディング。
【請求項１２】
スノーボード用ビンディングのための優れた制御及び改良されたスノーボード乗り心地特性を提供する方法であって、
前記スノーボード用ビンディングの底部プレートの第１の部分に調節可能に取り付けられ且つつま先傾斜連結構造を含んでいるつま先傾斜部を設けることと、
前記つま先傾斜部連結構造に取り外し可能に取り付けるための第１の連結構造と、前記底部プレートに取り外し可能に取り付けるための第２の連結構造とを有している少なくとも１つのスペーサを設けることと、を含み、
前記スペーサが、衝撃吸収材料と緩衝材料とのうちの少なくとも１つを含んでいる方法。
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
ＣＳ、ＭＳＰ１、ＭＳＰ３、ＭＳＰ２、ＭＳＰ４、ＭＳＰ５、ＭＳＰ６、ＡＭＡ１、Ｐｆ１５５／ＲＥＳＡ、ＲＡＰ１、ＥＢＡ−１７５、ｐｆＥＭＰ１、ＥＸＰ１、ＬＳＡ１、ＬＳＡ３、Ｐｆ２５、Ｐｆ４５／４８、Ｐｆ２３０、Ｐｆ２７、Ｐｆ１６、又はＰｆ２８の中から選ばれる少なくとも１の他のプラスモジウム・ファルシパルム(Plasmodium falciparum)由来のタンパク質と遺伝子操作により結合されたプラスモジウム・ファルシパルム・グルタミン酸リッチ・タンパク質(ＧＬＵＲＰ)に由来する融合タンパク質、又は該融合タンパク質のホモログを含む、抗原に基く抗マラリア・ワクチン。
【請求項２】
遺伝子操作によりＧＬＵＲＰに結合された前記タンパク質が、プラスモジウム・ファルシパルムのメロゾイト表面タンパク質３(ＭＳＰ３)に由来する、請求項１に記載の抗原に基く抗マラリア・ワクチン。
【請求項３】
配列番号１を含む、請求項２に記載のワクチン。
【請求項４】
プラスモジウム・ファルシパルム由来のタンパク質の免疫原性断片をさらに含む、請求項２又は３に記載のワクチン。
【請求項５】
配列番号１を含む融合タンパク質又はそのホモログ。
【請求項６】
プラスモジウム・ファルシパルム由来の１以上のタンパク質の１以上の免疫原性断片をさらに含む、請求項５に記載の融合タンパク質。
【請求項７】
前記免疫原性断片が、ＣＳ、ＭＳＰ１、ＭＳＰ２、ＭＳＰ４、ＭＳＰ５、ＭＳＰ６、ＡＭＡ１、Ｐｆ１５５／ＲＥＳＡ、ＲＡＰ１、ＥＢＡ−１７５、ｐｆＥＭＰ１、ＥＸＰ１、ＬＳＡ１、ＬＳＡ３、Ｐｆ２５、Ｐｆ４５／４８、Ｐｆ２３０、Ｐｆ２７、Ｐｆ１６、又はＰｆ２８から選ばれる、請求項６に記載の融合タンパク質。
【請求項８】
組換えラクトコッカスｓｐ(Lactococcus sp)から請求項１〜７のいずれか一項に記載の融合タンパク質を製造する方法。
【請求項９】
配列番号２を含む核酸又はそのホモログ。
【請求項１０】
請求項６又は７に記載される融合タンパク質をコードする核酸。
【請求項１１】
ワクチンの製造のための、請求項９又は１０に記載される核酸の使用。
【請求項１２】
請求項９又は１０に記載の核酸配列を発現する組換えＢＣＧを含むワクチン。
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
配列番号２１、配列番号２２、配列番号２３、配列番号２４、配列番号２５、配列番号２６、配列番号３４、標的配列いずれか１つの相補配列、又はＲＮＡ均等物からなる炭疽菌（Ｂ．ａｎｔｈｒａｃｉｓ）標的配列に含有される配列に特異的にハイブリダイズする、約２０〜約４０ヌクレオチドのオリゴヌクレオチド。
【請求項２】
オリゴヌクレオチドが配列番号２１に含有される配列に特異的にハイブリダイズする配列番号１若しくは配列番号２からなる配列を有し、
オリゴヌクレオチドが配列番号２２に含有される配列に特異的にハイブリダイズする配列番号３若しくは配列番号４からなる配列を有し、
オリゴヌクレオチドが配列番号２３に含有される配列に特異的にハイブリダイズする配列番号５若しくは配列番号６からなる配列を有し、又は
オリゴヌクレオチドが配列番号２４に含有される配列に特異的にハイブリダイズする配列番号７若しくは配列番号８からなる配列を有する
ｐａｇＡ遺伝子の炭疽菌標的配列に特異的にハイブリダイズする、請求項１のオリゴヌクレオチド。
【請求項３】
オリゴヌクレオチドが配列番号２５に含有される配列に特異的にハイブリダイズする配列番号９、配列番号１０、配列番号１１、若しくは配列番号１２からなる配列を有し、又は
オリゴヌクレオチドが配列番号２６に含有される配列に特異的にハイブリダイズする配列番号１３若しくは配列番号１４からなる配列を有する
ｃａｐＢ遺伝子の炭疽菌標的配列に特異的にハイブリダイズする、請求項１のオリゴヌクレオチド。
【請求項４】
ＤＮＡ主鎖もしくはＲＮＡ主鎖、又は混合ＤＮＡ及びＲＮＡ主鎖を有するか、あるいは塩基を連結する少なくとも１つの２’−メトキシＲＮＡ基を含有する、請求項１ないし３のいずれか１項に記載のオリゴヌクレオチド。
【請求項５】
オリゴヌクレオチドに直接又は間接的に連結されたシグナル産生標識を有する、請求項１ないし３のいずれか１項に記載のオリゴヌクレオチド。
【請求項６】
試料中の炭疽菌核酸を検出する方法であって：
ｐＸＯ１プラスミドに含有されるｐａｇＡ標的配列に特異的にハイブリダイズするプローブである少なくとも１つの請求項１のオリゴヌクレオチド、及びｐＸＯ２プラスミドに含有されるｃａｐＢ標的配列に特異的にハイブリダイズするプローブである少なくとも１つの請求項１のオリゴヌクレオチドを提供し；
少なくとも１つのプローブをｐａｇＡ標的配列に、若しくは少なくとも１つのプローブをｃａｐＢ標的配列に、又は少なくとも１つのプローブをｐａｇＡ標的配列に及び少なくとも１つのプローブをｃａｐＢ標的配列にハイブリダイズすることによって、少なくとも１つのプローブを試料中に含有される核酸に特異的にハイブリダイズさせ；そして
ｐａｇＡ標的配列又はｃａｐＢ標的配列にハイブリダイズした少なくとも１つのプローブの存在を検出して、試料中の炭疽菌核酸の存在を示す
工程を含んでなる、前記方法。
【請求項７】
ハイブリダイズ工程が、ｐａｇＡ標的配列に特異的な少なくとも１つのプローブであって、配列番号１、配列番号２、配列番号３、配列番号４、配列番号５、配列番号６、配列番号７、又は配列番号８の配列を有するオリゴヌクレオチドである、前記プローブを含む、請求項６の方法。
【請求項８】
ハイブリダイズ工程が、ｃａｐＢ標的配列に特異的な少なくとも１つのプローブであって、配列番号９、配列番号１０、配列番号１１、配列番号１２、配列番号１３、又は配列番号１４からなる配列を有するオリゴヌクレオチドである、前記プローブを含む、請求項６の方法。
【請求項９】
セレウス菌（Ｂ．ｃｅｒｅｕｓ）複合種のなかで保存され、及び配列番号３１、その相補配列、又はＲＮＡ均等物からなる標的配列に含有される１６Ｓ  ｒＲＮＡ若しくは１６Ｓ  ｒＲＮＡ配列をコードするＤＮＡに特異的にハイブリダイズする少なくとも１つのオリゴヌクレオチドプローブ、又は
セレウス菌複合種のなかで保存され、及び配列番号３２、その相補配列、又はＲＮＡ均等物からなる標的配列に含有される２３Ｓ  ｒＲＮＡ若しくは１６Ｓ  ｒＲＮＡ配列をコードするＤＮＡに特異的にハイブリダイズする少なくとも１つのオリゴヌクレオチドプローブ
を提供し、
少なくとも１つのプローブを、セレウス菌複合種のなかで保存されている１６Ｓ  ｒＲＮＡ若しくは２３Ｓ  ｒＲＮＡ配列又は１６Ｓ若しくは２３Ｓ  ｒＲＮＡ配列をコードするＤＮＡを含有する試料中の核酸にハイブリダイズさせ、そして
セレウス菌複合種のなかで保存されている１６Ｓ若しくは２３Ｓ  ｒＲＮＡ配列又は１６Ｓ若しくは２３Ｓ  ｒＲＮＡ配列をコードするＤＮＡにハイブリダイズした少なくとも１つのプローブの存在を検出し、それによって、試料中のセレウス菌複合生物の存在を示す工程をさらに含んでなる、請求項６の方法。
【請求項１０】
セレウス菌複合種のなかで保存され１６Ｓ  ｒＲＮＡ配列若しくは１６Ｓ  ｒＲＮＡ配列をコードするＤＮＡに対するプローブが、配列番号１５、配列番号１６、配列番号１７、配列番号１８、配列番号１９、配列番号２０、配列番号３７、配列番号３８、又は配列番号３９からなる配列を有する、請求項９の方法。
【請求項１１】
セレウス菌複合種のなかで保存され２３Ｓ  ｒＲＮＡ配列若しくは２３Ｓ  ｒＲＮＡ配列をコードするＤＮＡに対するプローブが、配列番号２７、配列番号２８、配列番号２９、配列番号３０、配列番号３５、又は配列番号３６からなる配列を有する、請求項９の方法。
【請求項１２】
提供工程が、真性細菌種に存在する遺伝子配列に特異的にハイブリダイズするプローブを提供することをさらに含み、ハイブリダイズ工程が、プローブを、真性細菌種に存在する遺伝子配列に特異的にハイブリダイズさせることをさらに含み、そして検出工程が、真性細菌種に存在する遺伝子配列にハイブリダイズしたプローブを検出し、それによって、バチルス属配列が試料中でまったく検出されなかった際も、方法工程が適切に行われたことを示す工程をさらに含む、請求項６又は９の方法。
【請求項１３】
真性細菌種に存在する遺伝子配列に特異的にハイブリダイズするプローブが配列番号４０からなる配列を有し、そして配列番号４０のハイブリダイズしたプローブが検出されることが、試料中に真性細菌が存在することを示す、請求項１２の方法。
【請求項１４】
少なくとも１つの請求項１のオリゴヌクレオチドを含んでなる、請求項６又は９の方法を実施するためのキット。
【請求項１５】
少なくとも１つの請求項２のオリゴヌクレオチド及び少なくとも１つの請求項３のオリゴヌクレオチドを含んでなる、請求項６又は９の方法を実施するためのキット。
【手続補正書】
【提出日】平成18年2月1日(2006.2.1)
【手続補正１】
【補正対象書類名】明細書
【補正対象項目名】００３７
【補正方法】変更
【補正の内容】
【００３７】
シリンジから材料を排出するのに必要な最大力量を、密な力量ゲージ（compact force gauge）を用いて計測し、プロピレングリコール含量に対してプロットした。排出力量は、流動改変剤の添加と共に始めは急速に低下したが、濃度が増加するにつれて累積効果が減少した。25％前後のプロピレングリコールにおいて、力量は4.5Nで横ばいになり、それより高い濃度においても識別可能な効果は示されなかった。
【手続補正２】
【補正対象書類名】明細書
【補正対象項目名】００４４
【補正方法】変更
【補正の内容】
【００４４】
これらの試料を次に、飽和状態の（saturated）スポンジからの吸収および、乾燥表面への供与について試験した。吸収試験のために、ゲル試料5gを、濾紙1枚の上で、2inの円形領域に均等に広げた。紙を、室温で、0.9％生理食塩水浴中に配置されたスポンジの頂部に置いた。液体レベルを、スポンジのレベルに維持した。ゲルに吸収された生理食塩水の量を決定するために、24時間後に試料を除去して再計量し、吸収を、試料の初期重量に対するパーセンテージとして報告した。3％未満のセルロースを含むゲルは試験中に重量が減少し、これにより、水分が湿潤スポンジに供与されたことが示された。曲線の変曲点は約5.5重量％のセルロースにおいて生じ、そこから、セルロース含量増加と共に急速に増加した。
【手続補正３】
【補正対象書類名】明細書
【補正対象項目名】００４５
【補正方法】変更
【補正の内容】
【００４５】
供与試験は、ゲル試料5gを、3in×3in片の予め計量した平滑皮（smooth leather）上で、直径2inの円形領域に均等に広げて行った。2時間後に試料を除去し、皮を再計量して、乾燥表面に供与された水分量を決定した。供与結果は試料の初期重量に対するパーセンテージとして報告された。供与は、セルロース6重量％まではほぼ直線的に減少し、その後、11重量％まで、よりゆっくりと減少した。
【手続補正４】
【補正対象書類名】明細書
【補正対象項目名】００４６
【補正方法】変更
【補正の内容】
【００４６】
吸収および供与の両方に対応するために創傷包帯を考案することができる。測定可能な吸収を得るためには、ゲルは最小4％のセルロースを有することが必要と考えられ、かつ、有意な供与のためには、ゲルは6％未満のセルロースを有することが必要と考えられる。したがって、微生物セルロースマトリクスの天然の体液取り扱い能力を最適化するためには、創傷包帯ゲルは、4％〜6％の間のセルロースを含まねばならない。
【手続補正書】
【提出日】平成18年5月12日(2006.5.12)
【手続補正１】
【補正対象書類名】特許請求の範囲
【補正対象項目名】全文
【補正方法】変更
【補正の内容】
【特許請求の範囲】
【請求項１】
第１の診断機器または治療機器を支持されていない解剖構造の中空身体器官に前進させるための装置であって、以下：
ハンドル；および
該ハンドルに取り付けられたオーバーチューブであって：
近位端および遠位端、
外部表面、
該近位端と該遠位端との間に延びる、該第１の診断機器または治療機器の通過を可能にする管腔を規定する内部表面を有するオーバーチューブを備え、ここで、該オーバーチューブが、中空身体器官への該オーバーチューブの挿入を容易にする可撓性状態、および該オーバーチューブが該管腔を通じた該第１の診断機器または治療機器の挿入または引き抜きの間に該内部表面に対して加えられる屈曲力に抵抗する剛性状態を有するオーバーチューブ；および
該内部表面と該第１の診断機器または治療機器との間に障壁を提供するよう該管腔を通して延びる第１部分、および該外部表面上を延びる第２部分を有する使い捨て可能なシース、を備える、装置。
【請求項２】
前記使い捨て可能なシースが疎水性材料を含む、請求項１に記載の装置。
【請求項３】
前記使い捨て可能なシースが非ねじれコイルを備える、請求項１に記載の装置。
【請求項４】
前記第１部分が、薄い可撓性の材料を含む、請求項１に記載の装置。
【請求項５】
前記オーバーチューブが、各々が側壁を有する、複数の入れ子式リンクを備える、請求項１から４のいずれかに記載の装置。
【請求項６】
請求項５に記載の装置であって、さらに：
前記複数の入れ子式リンクの各々の側壁を通って延びる、複数の張力ワイヤ孔；および
該複数の張力ワイヤ孔の１つ以上を通して移動可能に配置された少なくとも１つの張力ワイヤ、を備える、装置。
【請求項７】
前記可撓性状態と前記剛性状態との間でオーバーチューブを移行させるよう選択的に操作可能な張力メカニズムをさらに備える、請求項６に記載の装置。
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
複数回分の用量の加圧エーロゾル配合物を使用者に分配するためのディスペンサーにおいて、
加圧エーロゾル配合物を収容する容器であって、１回分の用量を分配するために内側の閉鎖ないし準備位置と外側の分配位置との間を移動可能な弁棒を備える分配弁を装備した容器と、
前記容器を受容するように構成されるアダプターであって、作動機構を備え、該作動機構は、使用者が押下ないし圧迫力を加えることにより該作動機構を操作したときに、該押下ないし圧迫力によって前記用量を分配するように構成されるとともに、使用者が該作動機構を解放したときに、前記分配弁の前記弁棒が前記閉鎖ないし準備位置に自動的に移動するように構成されている、アダプターと、
を具備するディスペンサー。
【請求項２】
前記作動機構は、前記押下ないし圧迫力により、前記弁棒が前記閉鎖ないし準備位置から前記分配位置へと引き寄せられるように構成されている、請求項１に記載のディスペンサー。
【請求項３】
前記作動機構は、取付けブロックと作動部材とを備え、該取付けブロックは、前記容器を保持して、前記アダプターに対する前記容器の移動を防止するように構成され、該作動部材は、前記弁棒に接触して、前記容器に接近する方向へ付勢され、前記弁棒を前記閉鎖ないし準備位置で静止させる、請求項１に記載のディスペンサー。
【請求項４】
前記作動部材は、前記押下ないし圧迫力により、該作動部材が前記付勢に抗して前記容器から離れる方向へ移動するとともに、前記弁棒をその分配位置に移動させることができるように構成されている、請求項３に記載のディスペンサー。
【請求項５】
前記作動機構は、取付けブロックと作動部材とを備え、該取付けブロックは、前記容器を保持して、前記アダプターに対する前記容器の移動を防止するように構成され、該作動部材は、前記弁棒に接触して、前記容器に接近する方向へ付勢され、前記弁棒を前記閉鎖ないし準備位置で静止させる、請求項２に記載のディスペンサー。
【請求項６】
前記作動部材が前記弁棒に連結され、前記作動部材は、前記押下ないし圧迫力により、該作動部材が前記付勢に抗して前記容器から離れる方向へ移動するとともに、前記弁棒をその分配位置に引き寄せることができるように構成されている、請求項５に記載のディスペンサー。
【請求項７】
前記作動機構は、前記弁棒を保持するとともに前記アダプターに対する該弁棒の移動を防止するように構成されている係止ブロックを備え、前記容器は、前記弁棒が前記閉鎖ないし準備位置で静止するように、前記弁棒に接近する方向へ付勢され、前記作動機構は、作動部材を更に備え、該作動部材は、前記押下ないし圧迫力により、該作動部材が前記付勢に抗して前記容器を前記弁棒から離れる方向へ移動して、それにより前記弁棒を前記容器に対してその分配位置に引き寄せるように構成されている、請求項２に記載のディスペンサー。
【請求項８】
前記分配弁が定量分配弁である、請求項１〜７のいずれか１項に記載のディスペンサー。
【請求項９】
前記分配弁がチャンバと出口通路とを更に備え、前記弁棒が、該チャンバ内に延びて、前記閉鎖ないし準備位置と前記分配位置との間を該チャンバに対して移動可能であり、前記弁棒は、外部表面を具備する形状を有し、前記チャンバは、内部表面を具備する内部形状を有し、それにより、移動可能な一定容積の加圧エーロゾル配合物をそれらの間に画定できるとともに、前記閉鎖ないし準備位置と前記分配位置との間を移動する間、前記弁棒が逐次的に、
（ｉ）エーロゾル配合物を自由流動させて前記チャンバを出入できるようにし、
（ｉｉ）前記弁棒の前記外部表面と前記チャンバの前記内部表面との間で、加圧エーロゾル配合物のための閉鎖した一定容積を画定し、
（ｉｉｉ）前記閉鎖した一定容積が前記出口通路と連通して、該一定容積の加圧エーロゾル配合物を分配できるようになるまで、該閉鎖した一定容積の容積を減少させることなく、該閉鎖した一定容積と共に前記チャンバ内を移動する、
請求項８に記載のディスペンサー。
【請求項１０】
前記加圧エーロゾル配合物が薬剤を含む、請求項１〜９のいずれか１項に記載のディスペンサー。
【請求項１１】
前記ディスペンサーが吸入器の形態を有する、請求項１〜１０のいずれか１項に記載のディスペンサー。
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
煙、不特定粒子、生化学物質またはこれらの合成物を含有する汚染空気が存在する中でろ過された空気で呼吸することを可能にするマスクにおいて、
A.1.ガス不透性の透明プラスチックフィルム材料より成るバッグ、
2.汚染空気又は粒子をろ過することのできるフィルター組立体
3.マスクの一部分を形成する呼気バルブ
より成る、広げた時にポケットサイズに折り畳めるフード、と、
B.フード内側の自由空間を小さくするために頭上の前記バッグを調整することを可能にする、首の回りに前記バッグを密封するための前記バッグに接続されていない、別の密封手段
より成る脱出用マスク。
【請求項２】
前記フードは目、口と鼻に向かい合って装着される部分のみが透明である、請求項１に記載されたマスク。
【請求項３】
前記別の密封手段は密封を良好に達成する共に首の回りに前記弾性バンドを配置した場合、前記装着者の首を締めないような寸法と強度のものである請求項１に記載されたマスク。
【請求項４】
前記別の密封手段は二本の弾性バンドである、請求項１に記載のマスク。
【請求項５】
フィルター組立体は微生物に対して殺菌効果を含む少なくとも一つのフィルターと活性炭を含んだ少なくとも一つのフィルターとを有する多層フィルター組立体である、請求項１に記載されたマスク。
【請求項６】
フィルター組立体が、二つ以上ある請求項１から５に記載のマスク。
【請求項７】
呼気バルブは前記マスク装着者の唇と向かい合う区域の中にある、請求項１から６に記載のマスク。
【請求項８】
頭部から取外した後、前記汚染された外側面が内側となるようにバッグが裏返される、請求項１から７にいずれか記載のマスク。
【請求項９】
前記フィルターは結合されたフィルターカートリッジ又はカニスターに取付けるためのフィルター接続要素に交換される、請求項１に記載のマスク。
【請求項１０】
煙、不特定粒子、化学的または生物学的物質又はこれらの合成物質を含有する汚染空気が存在する中でろ過された空気を呼吸できるようにする方法であって、
a)  請求項１〜９の何れか一項に記載のマスクを設け、
b)  前記フードを頭と首の上に配置し、
c)  前記別の密封手段を広げてそれを前記頭と首の上に引き、かつ前記フードと前記弾性バンドとを操作することにより、該フードを首の周りに調整し、かつ密封して、前記呼気バルブが唇と口とに向かい合うと共に前記フード内の空間が最少限まで低減されるようにする、
ことを包含して成ることを特徴とする方法。
【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
トリペプチドVPPおよび/またはIPPを含む発酵乳製品であって、IPP当量濃度[IPPeq]として表される量で145μM以上のトリペプチドVPPおよび/またはIPPを含み、40〜600mmol/kgのK+、および/または30〜400mmol/kgのCa2+、および/または6〜50mmol/kgのMg2+を含むことを特徴とする製品。
【請求項２】
50〜600mmol/kgのK+、および/または40〜400mmol/kgのCa2+、および/または8〜50mmol/kgのMg2+を含む、請求項1に記載の発酵乳製品。
【請求項３】
100〜150mmol/kgのK+、および/または40〜100mmol/kgのCa2+、および/または10〜25mmol/kgのMg2+を含む、請求項2に記載の発酵乳製品。
【請求項４】
110〜135mmol/kgのK+、および/または40〜60mmol/kgのCa2+、および/または13〜20mmol/kgのMg2+を含む、請求項3に記載の発酵乳製品。
【請求項５】
発酵の本質的部分の間のpHが4.3〜5.9であるような量で塩基を添加することによって発酵を調節する、発酵乳製品の調製方法。
【請求項６】
前記塩基がK+イオンを有し、発酵の本質的部分の間の前記pHが4.9〜5.5である、請求項5に記載の方法。
【請求項７】
前記塩基がCa2+イオンを有し、発酵の本質的部分の間の前記pHが4.3〜4.9である、請求項5に記載の方法。
【請求項８】
前記塩基がK+、Ca2+および/またはMg2+を含む、請求項5に記載の方法。
【請求項９】
発酵中の温度が38〜42℃である、請求項6から8のいずれか一項に記載の方法。
【請求項１０】
発酵中の溶存酸素(dO2)の濃度が5%以下である、請求項6から8のいずれか一項に記載の方法。
【請求項１１】
前記塩基が、カルシウム塩、カリウム塩および/またはマグネシウム塩からなる群から選択される塩である、請求項6から9のいずれか一項に記載の方法。
【請求項１２】
前記塩が水酸化物である、請求項10に記載の方法。
【請求項１３】
発酵終了後、乳酸カルシウムの固体を発酵乳から分離する、請求項10または11に記載の方法。
【請求項１４】
水含有発酵生成物を乾燥させる、請求項6から12のいずれか一項に記載の方法。
【請求項１５】
水含有発酵生成物をスプレー乾燥または凍結乾燥させる、請求項13に記載の方法。
【請求項１６】
VPPのその基質に対するモル収率が15%以上である、請求項6から14のいずれか一項に記載の方法。
【請求項１７】
145μM以上の[IPPeq]を含有する発酵乳製品を製造するための、Centre National de Recherches Zootechniques(Jouy-en-Josas(フランス))に寄託されている、ラクトバチルス・ヘルヴェティクス株CNRZ 244の使用。
【手続補正書】
【提出日】平成18年9月8日(2006.9.8)
【手続補正１】
【補正対象書類名】特許請求の範囲
【補正対象項目名】請求項１
【補正方法】変更
【補正の内容】
【請求項１】
多数の面ファスナー要素（２）を有する面ファスナー部品（１、１０１、２０１、３０１）であって、面ファスナー部品（１、１０１、２０１、３０１）が平面的基材（３、１０３、２０３、３０３）を有し、面ファスナー要素（２）が基材（３、１０３、２０３、３０３）の少なくとも一方の面（４）から張り出しており、面ファスナー要素（２）が電気絶縁性プラスチックからなるものにおいて、面ファスナー部品（１、１０１、２０１、３０１）がスイッチ回路（５、３０５）を有し、このスイッチ回路が少なくとも１つの電気部品および／または電子部品（６、１０６；７、１０７、２０７、３０７）を有し、スイッチ回路（５、３０５）が基材（３、１０３、２０３、３０３）の電気絶縁性面ファスナー要素（２）とは反対の側面上に配置されていることを特徴とする面ファスナー部品。
【手続補正２】
【補正対象書類名】特許請求の範囲
【補正対象項目名】請求項１３
【補正方法】変更
【補正の内容】
【請求項１３】
スイッチ回路（５、３０５）が薄膜技術または厚膜技術のエネルギー溜（３１８）を有することを特徴とする、請求項１〜１２のいずれか１項記載の面ファスナー部品（１、１０１、２０１、３０１）。
【手続補正書】
【提出日】平成18年11月7日(2006.11.7)
【手続補正１】
【補正対象書類名】明細書
【補正対象項目名】００２９
【補正方法】変更
【補正の内容】
【００２９】
上述の平衡状態による規定されるような適量を確保しながら、設計パラメータは、使い方を簡単にするためにできる限り小さいニードルデバイスを保つべきである。図９および図１０は、理想気体の法則の適用を図示するために図６〜図８におけるニードルアッセンブリ２１０の略図をもたらす。これに関して、Ａは、入口用カニューレ２３６の中の管腔２４８の容積を表す。Ｂは、アウターチャンバー２２０、インナーチャンバー２２６、出口用カニューレ２５２の中の管腔２４２、および密封可能なスリーブ２６１における全容積を表す。再び上述の平衡状態を参照し、Ｐ１は、使用前のニードルアッセンブリ２１０内の圧力であり、従って、実質的に大気圧に等しい。大気圧は、時々、場所により僅かに変化するだろう。しかしながら、この分析のために大気圧Ｐ１は、７６０ｍｍＨｇと仮定する。上述の平衡状態でＶ２は、静脈エントリー後のニードルアッセンブリ２１０内のデッドスペースの容積である。さらに詳細には、静脈エントリー後、血液は、カニューレ２３６の管腔２４８を満たし、それにより、ニードルアッセンブリ２１０における残部においてガスにより占有される容積を減少させ、従って、ニードルアッセンブリ２１０の残部において空気圧を増大させる。およそ図６〜図１０に示されるような寸法を有するニードルアッセンブリは、静脈圧（止血器付き）で約７９０ｍｍＨｇの圧力Ｐ２を有するだろう。上述の平衡状態でＶ１は、使用前におけるニードルアッセンブリ２１０のデッドスペース全体の容積を規定し、従って、図９に示されるようにＡ＋Ｂに等しいだろう。Ｖ２は、図１０に示されるように、静脈エントリー後において入口用カニューレ２３６の管腔２４８が血液で満たされた状態で装置におけるデッドスペースを規定する。従って、上述の平衡状態でＶ２は、Ｂと等しいだろう。これらの入力パラメータは、以下の理想気体の法則の方程式の適用において示されるように、ニードルアッセンブリ２００の各部品の最小とされる望ましい大きさを形成するように用いられ得る。
【手続補正２】
【補正対象書類名】明細書
【補正対象項目名】００３３
【補正方法】変更
【補正の内容】
【００３３】
上記の実施例は、互いに中心軸線を一致させ互いに直列に近接した関係をもって配されている構造的に入口用カニューレと出口用カニューレとが分離したものを示している。しかしながら、上述の本発明の最も重要な点は、フラッシュバックチャンバー内の横の穴または開口とともに形成される単一のカニューレにより達成され得る。例えば、図１１は、上述され図示されたハウジング２１２と実質的に同一であるハウジング３１２を有するニードルアッセンブリ３１０を簡略化して示す。ニードルアッセンブリ３１０は、単一複合式（ｓｉｎｇｌｅ  ａｎｄ  ｄｏｕｂｌｅ）でニードルカニューレ３３６が設けられ、ハウジング３１２内を全体が通過している点でニードルアッセンブリ２１０と相違する。さらに詳細には、ニードルカニューレ３３６は、静脈エントリー用端部３３８と、患者側でない端部３４０と、その間を延在する管腔３４２とを含んでいる。内壁３２４内のカニューレ３３６の一部は、管腔３４２と内壁３２４内のフラッシュバックチャンバー３２６との間を連通させるように設けられる長穴即ち開口３４４を含んでいる。ニードルアッセンブリ３１０は、上述され図示されたニードルアッセンブリ２１０と実質的に同様な方法で機能を果たす。
【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
治療装置であって、
組織サンプルを採取するように構成された採取機構；
採取機構に連結している溶解機構であって、該組織サンプルの細胞溶解を誘導して、溶解組織サンプルを生成するように構成されている溶解機構；および
採取機構と溶解機構の両方に連結した投与機構であって、患者に該溶解組織サンプルを投与するように構成されている投与機構、
とを含む装置。
【請求項２】
採取機構が、採取針に連結するように適合させたチャンバーを有するシリンジを含む、請求項1の治療装置。
【請求項３】
患者がヒトである、請求項１の治療装置。
【請求項４】
患者がヒト以外の動物である、請求項１の治療装置。
【請求項５】
治療装置であって、
組織サンプルを採取するように構成された採取機構であって、採取針に連結するように適合されたチャンバーを含む採取機構；
チャンバー内に配置された溶解機構であって、組織サンプルが溶解組織サンプルへと溶解されるのを誘導するように構成されている溶解機構；および
採取機構と溶解機構の両方に連結した投与機構であって、患者に該溶解組織サンプルを投与するように構成されている投与機構、
とを含む装置。
【請求項６】
チャンバーが採取針に連結している、請求項２または５の治療装置。
【請求項７】
採取機構が、該採取機構のチャンバー内の圧力を変化させて、組織サンプルを採取し溶解組織サンプルを投与するように構成されたプランジャーをさらに含む、請求項２または５の治療装置。
【請求項８】
採取機構が生検装置である、請求項１または５の治療装置。
【請求項９】
生検装置がスタイレットとカニューレとを含む、請求項８の治療装置。
【請求項１０】
溶解機構が、一対の回転シリンダー、一対のかみ合い回転ギア、グレート、蛇行経路、回転刃、冷却機構、熱交換器、超音波機構、超音波プローブ、および上記の任意の組合せよりなる群から選択される、請求項１または５の治療装置。
【請求項１１】
投与機構が、採取機構のチャンバーと流体連通している投与針を含む、請求項２または５の治療装置。
【請求項１２】
採取機構のチャンバーと流体連通している追加の機構を含み、かつ溶解組織サンプルが患者に投与される前に該溶解組織サンプルに追加の溶液を加えるように構成されている、請求項２または５の治療装置。
【請求項１３】
追加の機構がチャンバーと流体連通しているシリンジを含む、請求項１２の治療装置。
【請求項１４】
採取機構と投与機構が同じ機構である、請求項１または５の治療装置。
【請求項１５】
治療装置であって、
組織サンプルを採取するように構成された採取機構であって、採取針に連結するように適合され、かつ投与針に連結するように適合されたチャンバーを有するシリンジ型装置を含む採取機構；
チャンバー内に配置された溶解機構であって、組織サンプルが溶解組織サンプルへと溶解されるのを誘導するように構成されている溶解機構；および
採取機構と溶解機構の両方に連結した投与機構であって、患者に該溶解組織サンプルを投与するように構成されており、該投与機構は少なくとも部分的に該シリンジ型装置を含む投与機構、
とを含む装置。
【請求項１６】
請求項１５の治療装置であって、該チャンバー内に、腫瘍サンプル；ヒトの腫瘍サンプル、ヒト以外の動物の腫瘍サンプル；溶解され液体と混合されホモジナイズされた腫瘍サンプル；溶解され液体と混合されホモジナイズされたヒトの腫瘍サンプル；溶解され液体と混合されホモジナイズされたヒト以外の動物の腫瘍サンプル；感染細胞サンプル；ヒトの感染細胞サンプル；ヒト以外の動物の感染細胞サンプル；溶解され液体と混合されホモジナイズされた感染細胞サンプル；溶解され液体と混合されホモジナイズされたヒトの感染細胞サンプル；および溶解され液体と混合されホモジナイズされたヒト以外の動物の感染細胞サンプル、よりなる群から選択される組織サンプルが含まれる装置。
【請求項１７】
治療装置であって、
組織サンプルの細胞溶解を誘導するように構成された溶解機構；および
該溶解機構に取り外しできるように連結され、患者に溶解組織サンプルを投与するように構成されている投与機構、
とを含む装置。
【請求項１８】
対象から組織を採取するように構成された採取機構であって、溶解機構に取り外しできるように連結されている採取機構をさらに含む、請求項１７の治療装置。
【請求項１９】
疾患の治療法または免疫系の刺激法に使用するための、請求項１〜１８のいずれか１項に記載の装置。
【請求項２０】
免疫応答を発生させる装置のキットであって、
組織サンプルの細胞溶解を誘導するように構成された溶解機構；
該溶解機構に連結した投与機構であって、溶解組織サンプルを患者に投与するように構成されている投与機構；および
該装置を使用するための説明書、
とを含むキット。
【請求項２１】
対象から組織を採取するように構成された採取機構をさらに含む、請求項２０のキット。
【請求項２２】
採取機構が、採取針、生検針、スタイレット、またはカニューレを含む、請求項２１のキット。
【請求項２３】
投与機構が投与針を含む、請求項２０のキット。
【請求項２４】
少なくとも1つの生物活性添加物をさらに含む、請求項２０〜２３のいずれか１項のキット。
【請求項２５】
請求項２４のキットであって、生物活性添加物は、サイトカイン、アジュバント、抗体、生物学的応答を変更する物質、リガンドのアゴニスト、リガンドのアンタゴニスト、受容体、免疫系のシグナル伝達分子、抗癌剤、抗感染症物質、および上記の任意の組合せの1つ以上よりなる群から選択される、キット。
【請求項２６】
バッファーをさらに含む、請求項２０〜２５のいずれか１項のキット。
【請求項２７】
組織サンプルをさらに含む、請求項２０〜２６のいずれか１項のキット。
【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
対称の垂直軸を有する規則的な正方形をなすピラミッド形状の本体部を有し、この本体部は独立した水平分割部（１ないし６）に水平分割され、これら各水平分割部（１ないし６）は、前記対称の垂直軸と一致する回転軸を中心に回転可能であると共に、同じ輪郭のゲームピース（１０−１１）が各々嵌合される複数の凹部（７）をその４つの側表面に有する、ボードゲームのための構造体であって、
前記ピラミッド形状の本体部の頂部を構成する上位水平分割部（１）は、その側表面の各々に１個の凹部（７）を有し、
前記側表面に凹部（７）を有する各水平分割部（１ないし６）の一側表面における凹部（７）の数が、前記１個の凹部（７）を有する上位水平分割部（１）から、１１個の凹部（７）を有する下位水平分割部（６）に亘って増加していることを特徴とするボードゲームのための構造体。
【請求項２】
前記水平分割部（１ないし６）は、同じ高さに形成されていることを特徴とする請求項１記載のボードゲームのための構造体。
【請求項３】
前記本体部は、中空の基体又は台座（８）により下方部位を拡張されており、この基体又は台座は、対向する側面が外部に開口し、ゲームピース（１０−１１）を収納するために意図された引き出し可能な２つの引き出し（９）が設けられていることを特徴とする請求項１記載のボードゲームのための構造体。
【請求項４】
前記各水平分割部は、回転軸（１２）の周りに装着された軸受け筒（１３）及び、これら各水平分割部の軸受け筒（１３）間に設けられ、隣接する水平分割部について各水平分割部毎の回転を容易にするためのワッシャ（１４）を備えたことを特徴とする請求項１記載のボードゲームのための構造体。
【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
レーザ光源に接続するための１つの結合端、及び光ファイバの自由端を受容して保持するための更に別の結合端を有するハウジングと、
前記ハウジング内に一体化され、前記レーザ光源、及び前記光ファイバの自由端に位置合わせされた光学レンズであって、該光学レンズが光透過性材料の本体部分を含み、前記光学レンズの少なくともレーザ側端面の形状が、円錐形要素、螺旋形要素、及びコーン形要素の組み合わせである、光学レンズと
を含み、前記光学レンズの光ファイバ側端面が、凸状双曲線の形状である、光カプラ。
【請求項２】
前記円錐形要素は、双曲線、放物線、及び球形のうちのいずれか１つである、請求項１に記載の光カプラ。
【請求項３】
前記螺旋形要素により生じる最大位相シフトと前記コーン形要素により生じる最大位相シフトの比が−３：２である、請求項２に記載の光カプラ。
【請求項４】
モールド成形可能な材料から形成される、請求項２に記載の光カプラ。
【請求項５】
前記円錐形要素、前記螺旋形要素、及びコーン形要素はそれぞれ、サグ要素によって数学的に特徴づけられ、前記サグ要素は、前記レンズを使用する光源の少なくともモードプロファイル又は開口数に一致するように選択される、請求項１に記載の光カプラ。
【請求項６】
前記サグ要素は、前記レンズと光源との間の距離、及び前記レンズと前記レンズを使用するファイバとの間の距離に更に依存する、請求項５に記載の光カプラ。
【請求項７】
前記レーザ光源は、プリント回路基板および／またはフレキシブル回路テープ上に実装される、請求項１に記載の光カプラ。
【請求項８】
レーザ光源のアレイに接続するための１つの結合端、及び光ファイバのアレイの自由端を受容して保持するための更に別の結合端を有するハウジングと、
前記ハウジング内に一体化され、前記レーザ光源のアレイ、及び前記光ファイバアレイの自由端に位置合わせされた光学レンズアレイであって、該光学レンズアレイが光透過性材料の本体部分を含み、前記アレイ内の光学レンズの少なくともレーザ側端面の形状が、円錐形要素、螺旋形要素、及びコーン形要素の組み合わせである、光学レンズアレイと
を含み、前記光学レンズアレイ内の光学レンズの光ファイバ側端面が、凸状双曲線の形状である、光カプラ。
【請求項９】
前記円錐形要素は、双曲線、放物線、及び球形のうちのいずれか１つである、請求項８に記載の光カプラ。
【請求項１０】
前記螺旋形要素により生じる最大位相シフトと前記コーン形要素により生じる最大位相シフトの比が−３：２である、請求項９に記載の光カプラ。
【請求項１１】
モールド成形可能な材料から形成される、請求項１０に記載の光カプラ。
【請求項１２】
前記円錐形要素、螺旋形要素、及びコーン形要素はそれぞれ、サグ要素によって数学的に特徴づけられ、前記サグ要素は、前記レンズアレイを使用する光源の少なくともモードプロファイル又は開口数に一致するように選択される、請求項８に記載の光カプラ。
【請求項１３】
前記サグ要素は、前記レンズアレイと前記レーザ光源のアレイとの間の距離、及び前記レンズアレイと前記レンズアレイを使用する光ファイバアレイとの間の距離に更に依存する、請求項１２に記載の光カプラ。
【請求項１４】
前記レーザ光源のアレイは、プリント回路基板および／またはフレキシブル回路テープ上に実装される、請求項８に記載の光カプラ。
【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
ガラス基材（２１）と、該ガラス基材上に堆積された拡散層（２２）とを含む拡散基材（２０）であって、該ガラス基材（２１）が、ＥＮ４１０規格に従って３８０〜７８０ｎｍの波長範囲に関して計算された少なくとも９１％の光透過率を有することを特徴とする、拡散基材。
【請求項２】
前記光透過率が少なくとも９１．５％であることを特徴とする、請求項１に記載の拡散基材。
【請求項３】
前記ガラス基材（２１）が、
【数１】
2006512596.tif 000001
のような全鉄含有量を有し、［Ｆｅ2Ｏ3］tがｐｐｍで表され、組成物中の全鉄分に一致し、ｅがガラスの厚さ（ｍｍ）であり、レドックスがレドックス＝［ＦｅＯ］／［Ｆｅ2Ｏ3］tで規定され、０〜０．９であることを特徴とする、請求項１に記載の拡散基材。
【請求項４】
前記ガラス基材（２１）が、
【数２】
2006512596.tif 000002
のような全鉄含有量を有し、［Ｆｅ2Ｏ3］tがｐｐｍで表され、組成物中の全鉄分に一致し、ｅがガラスの厚さ（ｍｍ）であり、レドックスがレドックス＝［ＦｅＯ］／［Ｆｅ2Ｏ3］tで規定され、０〜０．９であることを特徴とする、請求項２に記載の拡散基材。
【請求項５】
前記拡散層（２２）が、バインダー中の凝集粒子から構成され、該粒子が０．３〜２μｍの平均直径を有し、該バインダーが１０〜４０ｖｏｌ％の割合であり、該粒子が０．５〜５μｍのサイズの凝集体を形成することを特徴とする、請求項１〜４のいずれか１項に記載の拡散基材。
【請求項６】
前記粒子が、半透明粒子であることを特徴とする、請求項５に記載の拡散基材。
【請求項７】
前記粒子が、無機粒子であることを特徴とする、請求項５に記載の拡散基材。
【請求項８】
前記無機粒子が、酸化物、窒化物又は炭化物であることを特徴とする、請求項７に記載の拡散基材。
【請求項９】
前記ガラス基材（２１）が、少なくとも以下の成分に基づいたガラス組成を有することを特徴とする、請求項１〜８のいずれか１項に記載の拡散基材。
【表１】
2006512596.tif 000003
【請求項１０】
前記ガラス基材（２１）が、最大４．０ｍｍの厚さｅに関して９１．５０％の最低光透過率を有し、全鉄含有量が２００ｐｐｍ、レドックスが０．０５未満であることを特徴とする、請求項１又は２に記載の拡散基材。
【請求項１１】
前記ガラス基材（２１）が、最大４．０ｍｍの厚さｅに関して９１％の最低光透過率を有し、全鉄含有量が１６０ｐｐｍ、レドックスが０．３１であることを特徴とする、請求項１に記載の拡散基材。
【請求項１２】
前記ガラス基材（２１）が、最大１．５ｍｍの厚さｅに関して９１．５０％の最低光透過率を有し、全鉄含有量が１６０ｐｐｍ、レドックスが０．３１であることを特徴とする、請求項２に記載の拡散基材。
【請求項１３】
前記ガラス基材（２１）が、最大１．２ｍｍの厚さｅに関して９１％の最低光透過率を有し、全鉄含有量が８００ｐｐｍ、レドックスが０．３３であることを特徴とする、請求項１に記載の拡散基材。
【請求項１４】
前記ガラス基材（２１）が、最大１．２ｍｍの厚さｅに関して９１％の最低光透過率を有し、全鉄含有量が１０５０ｐｐｍ、レドックスが０．２３であることを特徴とする、請求項１に記載の拡散基材。
【請求項１５】
バックライティングシステムを製造するための、請求項１〜１４のいずれか１項に記載の拡散基材の使用。
【請求項１６】
前記バックライティングシステムがＬＣＤスクリーンに設けられた、請求項１５に記載の使用。
【請求項１７】
前記バックライティングシステムがフラットランプに設けられた、請求項１５に記載の使用。